(57)【要約】【課題】本発明は動作温度前の早期断線を適切に防止する感温ペレット型温度ヒューズを提供する。【解決手段】感温ペレット型温度ヒューズ１は、金属ケース２内に移動可能に収納されＢリード線１２に接続された可動電極８を、動作温度で溶融軟化する感温ペレット３に保持されたＢスプリング７で付勢して、可動電極８とＡリード線１３を接触させて導通を確保し、動作温度で感温ペレット３が溶融軟化することで可動電極８をＡスプリング１０が付勢して移動させて可動接電極８とＡリード線１３との接触を遮断するが、動作温度近辺であって当該動作温度よりも低い温度での感温ペレット３の溶融前の軟化に伴うＡスプリング１０の付勢力による可動電極８の移動を抑止して、可動電極８とＡリード線１３との接触を維持させる動作温度前切断抑止機構２０を設けている。【選択図】　　　　　図１
2004139891.tif 000002
【特許請求の範囲】
【請求項１】
ケース内に移動可能に収納され一方の電線に接続された可動接点部材を、所定の動作温度で溶融軟化する感温ペレットに保持された保持スプリングで付勢して、当該可動接点部材と他方の電線を接触させて導通を確保し、前記動作温度で前記感温ペレットが溶融軟化することで前記可動接点部材を切断スプリングが付勢して移動させて当該可動接点部材と前記他方の電線との接触を遮断する感温ペレット型温度ヒューズにおいて、前記動作温度近辺であって当該動作温度よりも低い温度での前記感温ペレットの溶融前の軟化に伴う前記切断スプリングの付勢力による前記可動接点部材の移動を抑止して、当該可動接点部材と前記他方の電線との接触を維持させる動作温度前切断抑止機構を設けたことを特徴とする感温ペレット型温度ヒューズ。
【請求項２】
前記動作温度前切断抑止機構は、前記溶融前の前記感温ペレットの所定量の軟化を許容する当該感温ペレットの長さと、当該感温ペレットを前記可動接点部材方向に付勢して、当該溶融前の当該感温ペレットの軟化に伴う当該感温ペレットの前記保持スプリングの保持位置変化を所定量吸収し、当該保持スプリングに前記可動接点部材を付勢させて前記他の電線に接触させる抑止スプリングと、を備えていることを特徴とする感温ペレット型温度ヒューズ。
【発明の詳細な説明】
【０００１】
【発明の属する技術分野】
本発明は、感温ペレット型温度ヒューズに関し、詳細には、動作温度前の早期断線を適切に防止する感温ペレット型温度ヒューズに関する。
【０００２】
【従来の技術】
【特許文献１】
登第０２５２４１８９号公報
従来から発熱部分を有する機器、例えば、デジタル複写装置、レーザプリンタ及びファクシミリ装置等の機器においては、その定着ユニットに感温ペレットタイプの温度ヒューズ（以下、感温ペレット型温度ヒューズ）が用いられており、この感温ペレット型温度ヒューズは、感温ペレットがＴｆ温度（動作温度）に達したときに溶融し、スプリングの付勢力で、電極が離れて、通電を遮断する構成となっている。
【０００３】
この感温ペレット型温度ヒューズとしては、例えば、特許文献１に記載されたものがある。この感温ペレット型温度ヒューズは、例えば、図４及び図５に示すように、金属ケース１００の内部の一方側の端部部分に、Ｔｆ温度よりも低い温度で固体状の感温ペレット１０１が収納されており、感温ペレット１０１に隣接して１対の円板１０２ａ、１０２ｂに挟まれた状態でＢスプリング１０３が縮設されている。感温ペレット１０１と反対側の円板１０２ａのＢスプリング１０３と反対側の面には、当該円板１０２ａに接触するとともに金属ケース１００内面の導電部に接触している可動電極１０４が配設されており、金属ケース１００内部の感温ペレット１０１とは反対側の端部には、碑管１０５が収納されている。この卑碑管１０５と可動電極１０４との間には、Ａスプリング１０６が縮設されている。
【０００４】
そして、金属ケース１００の感温ペレット１０１側の端部には、Ｂリード線１０７が金属ケース１００の内面の導電部に導通する状態で接続されており、金属ケース１００の可動電極１０４側の端部には、感温ペレット型温度ヒューズの平常時に、Ａリード線１０８がその先端が可動電極１０４に接触する状態で取り付けられている。このＡリード線１０８は、金属ケース１００の当該Ａリード線１０８側の端部に取り付けられた絶縁碑管１０９、絶縁碑管１０９と金属ケース１００の端部部分との間を塞ぐ封口樹脂１１０及び碑管１０５により、金属ケース１００と絶縁されているとともに、その先端部が可動電極１０４に接触し、かつ、当該可動電極１０４が金属ケース１００の内面の導電部に接触していることで、Ｂリード線１０７と導通している。
【０００５】
すなわち、感温ペレット型温度ヒューズは、環境温度が動作温度（Ｔｆ温度）よりも低い平常時には、図４に示すように、Ａスプリング１０６が可動電極１０４をＢスプリング１０３方向、すなわち、感温ペレット１０１方向に付勢するが、平常時には、感温ペレット１０１が固体状態となっており、この固体状態の感温ペレット１０１の端部に円板１０２ｂが支持されて、Ｂスプリング１０３が円板１０２ａを介して可動電極１０４をＡスプリング１０６方向に付勢するため、可動電極１０４とＡリード線１０８の先端部が可動電極１０４と接触して、Ａリード線１０８とＢリード線１０７とが導通状態となる。
【０００６】
ところが、感温ペレット型温度ヒューズは、環境温度が動作温度（Ｔｆ温度）以上の温度の動作時には、図５に示すように、感温ペレット１０１が溶融軟化するため、Ｂスプリング１０３が伸張して、円板１０２ｂを介して可動電極１０４をＡスプリング１０６方向に付勢し、Ａスプリング１０６が伸張してＢスプリング１０３方向に付勢しても、Ａリード線１０８の先端が可動電極１０４から離れて、Ａリード線１０８とＢリード線１０７とが非導通状態となって、回路が遮断される。
【０００７】
【発明が解決しようとする課題】
しかしながら、このような従来の感温ペレット型温度ヒューズにあっては、感温ペレット長が限られており、感温ペレットが動作温度（Ｔｆ温度）に達していないが、動作温度（Ｔｆ温度）近辺の溶融してはいけない温度（Ｔｈ温度）から僅かに軟化して、当該Ｔｈ温度とＴｆ温度の間の保持時間が短くなって、早期に切れてしまうという問題があった。
【０００８】
すなわち、図６に概略構成図を示すように、長さＬを有している感温ペレット１０１が、Ｔｈ温度（溶断してはいけない温度）近辺からＴｆ温度（動作温度）迄の間で感温ペレットの配合の特性上、Ｔｆ温度前に僅かに軟化を開始し、このＴｈ温度とＴｆ温度の間の温度状態が所定時間続くと、長さＬを有していた感温ペレット１０１が、Ｔｆ温度（動作温度）に達しない場合であっても、図７に概略構成図を示すように、その長さＬが半分（Ｌ／２）の長さになって、全体の容積が半分程度の容積になると、Ａリード線１０８の先端が可動電極１０４から離れて、感温ペレット型温度ヒューズが早期に切れてしまい、Ｔｈ温度とＴｆ温度との間の保持時間が短くなるという問題があった。
【０００９】
そこで、請求項１記載の発明は、ケース内に移動可能に収納され一方の電線に接続された可動接点部材を、所定の動作温度で溶融軟化する感温ペレットに保持された保持スプリングで付勢して、当該可動接点部材と他方の電線を接触させて導通を確保し、動作温度で感温ペレットが溶融軟化することで可動接点部材を切断スプリングが付勢して移動させて当該可動接点部材と他方の電線との接触を遮断するに際して、動作温度近辺であって当該動作温度よりも低い温度での感温ペレットの溶融前の軟化に伴う切断スプリングの付勢力による可動接点部材の移動を抑止して、当該可動接点部材と他方の電線との接触を維持させる動作温度前切断抑止機構を設けることにより、動作温度近辺であって当該動作温度よりも低い温度にさらされることで、動作温度に到達する前に早期に切断されることを防止し、正確な温度での切断動作を確保することのできる感温ペレット型温度ヒューズを提供することを目的としている。
【００１０】
請求項２記載の発明は、動作温度前切断抑止機構を、溶融前の感温ペレットの所定量の軟化を許容する当該感温ペレットの長さと、当該感温ペレットを可動接点部材方向に付勢して、当該溶融前の当該感温ペレットの軟化に伴う当該感温ペレットの保持スプリングの保持位置変化を所定量吸収し、当該保持スプリングに可動接点部材を付勢させて他の電線に接触させる抑止スプリングと、を備えたものとすることにより、簡単な構成で、動作温度近辺であって当該動作温度よりも低い温度にさらされることで、動作温度に到達する前に早期に切断されることを防止し、より一層正確な温度での切断動作を安価に確保することのできる感温ペレット型温度ヒューズを提供することを目的としている。
【００１１】
【課題を解決するための手段】
請求項１記載の発明の感温ペレット型温度ヒューズは、ケース内に移動可能に収納され一方の電線に接続された可動接点部材を、所定の動作温度で溶融軟化する感温ペレットに保持された保持スプリングで付勢して、当該可動接点部材と他方の電線を接触させて導通を確保し、前記動作温度で前記感温ペレットが溶融軟化することで前記可動接点部材を切断スプリングが付勢して移動させて当該可動接点部材と前記他方の電線との接触を遮断する感温ペレット型温度ヒューズにおいて、前記動作温度近辺であって当該動作温度よりも低い温度での前記感温ペレットの溶融前の軟化に伴う前記切断スプリングの付勢力による前記可動接点部材の移動を抑止して、当該可動接点部材と前記他方の電線との接触を維持させる動作温度前切断抑止機構を設けることにより、上記目的を達成している。
【００１２】
上記構成によれば、ケース内に移動可能に収納され一方の電線に接続された可動接点部材を、所定の動作温度で溶融軟化する感温ペレットに保持された保持スプリングで付勢して、当該可動接点部材と他方の電線を接触させて導通を確保し、動作温度で感温ペレットが溶融軟化することで可動接点部材を切断スプリングが付勢して移動させて当該可動接点部材と他方の電線との接触を遮断するに際して、動作温度近辺であって当該動作温度よりも低い温度での感温ペレットの溶融前の軟化に伴う切断スプリングの付勢力による可動接点部材の移動を抑止して、当該可動接点部材と他方の電線との接触を維持させる動作温度前切断抑止機構を設けているので、動作温度近辺であって当該動作温度よりも低い温度にさらされることで、動作温度に到達する前に早期に切断されることを防止することができ、正確な温度での切断動作を確保することができる。
【００１３】
この場合、例えば、請求項２に記載するように、前記動作温度前切断抑止機構は、前記溶融前の前記感温ペレットの所定量の軟化を許容する当該感温ペレットの長さと、当該感温ペレットを前記可動接点部材方向に付勢して、当該溶融前の当該感温ペレットの軟化に伴う当該感温ペレットの前記保持スプリングの保持位置変化を所定量吸収し、当該保持スプリングに前記可動接点部材を付勢させて前記他の電線に接触させる抑止スプリングと、を備えたものであってもよい。
【００１４】
上記構成によれば、動作温度前切断抑止機構を、溶融前の感温ペレットの所定量の軟化を許容する当該感温ペレットの長さと、当該感温ペレットを可動接点部材方向に付勢して、当該溶融前の当該感温ペレットの軟化に伴う当該感温ペレットの保持スプリングの保持位置変化を所定量吸収し、当該保持スプリングに可動接点部材を付勢させて他の電線に接触させる抑止スプリングと、を備えたものとしているので、簡単な構成で、動作温度近辺であって当該動作温度よりも低い温度にさらされることで、動作温度に到達する前に早期に切断されることを防止することができ、より一層正確な温度での切断動作を安価に確保することができる。
【００１５】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００１６】
図１〜図３は、本発明の感温ペレット型温度ヒューズの一実施の形態を示す図であり、図１は、本発明の感温ペレット型温度ヒューズの一実施の形態を適用した感温ペレット型温度ヒューズ１の概略構成図である。
【００１７】
図１において、感温ペレット型温度ヒューズ１は、金属ケース（ケース）２の内部の一方側の端部部分に、動作温度（Ｔｆ温度）よりも低い温度で固体状の感温ペレット３が１対の円板４、５に挟まれた状態で収納されており、感温ペレット３に隣接して、円板５と円板６に挟まれた状態でＢスプリング（保持スプリング）７が縮設されている。円板６のＢスプリング７とは反対側の面には、当該円板６に接触するとともに金属ケース２の内面の導電部に接触している可動電極（可動接点部材）８が配設されており、金属ケース２内部の感温ペレット３とは反対側の端部には、碑管９が収納されている。可動電極８と碑管９との間には、可動電極８を感温ペレット３方向に付勢するＡスプリング（切断スプリング）１０が縮設されている。
【００１８】
さらに、上記感温ペレット３のＢスプリング７とは反対側には、円板４と金属ケース２との間に、Ｃスプリング（抑止スプリング）１１が縮設されており、Ｃスプリング１１は、感温ペレット３を可動電極８方向に付勢している。
【００１９】
そして、感温ペレット３は、従来の感温ペレット型温度ヒューズの感温ペレット１０１の長さＬの２倍（２Ｌ）のものが用いられており、金属ケース２も当該感温ペレット３の長さの分だけ長くなっている。
【００２０】
そして、金属ケース２の感温ペレット３側の端部には、Ｂリード線（一方の電線）１２が金属ケース２の内面の導電部に導通する状態で接続されており、金属ケース２の可動電極８側の端部には、図１に示す感温ペレット型温度ヒューズ１の平常時に、Ａリード線（他方の電線）１３が、その先端が可動電極８に接触する状態で取り付けられている。このＡリード線１３は、金属ケース２の当該Ａリード線１３側の端部に取り付けられた絶縁碑管１４等により、金属ケース２と絶縁されているとともに、その先端部が可動電極８に接触し、かつ、当該可動電極８が金属ケース２の内面の導電部に接触していることで、Ｂリード線１２と導通している。
【００２１】
そして、上記感温ペレット３の長さ２Ｌ及びＣスプリング１１は全体として、動作温度（Ｔｆ温度）近辺であって当該動作温度（Ｔｆ温度）よりも低い温度（Ｔｈ温度）での感温ペレット３の溶融前の軟化に伴うＡスプリング１０の付勢力による可動電極８の移動を抑止して、可動電極８とＡリード線１３との接触を維持させる動作温度前切断抑止機構２０として機能している。
【００２２】
次に、本実施の形態の作用を説明する。本実施の形態の感温ペレット型温度ヒューズ１は、動作温度前切断抑止機構２０として、感温ペレット３を従来の感温ペレット１０１の長さＬの２倍の長さ２Ｌのものを用いるとともに、感温ペレット３を可動電極８方向に付勢するＣスプリング１１が収納されていて、動作温度（Ｔｆ温度）近くでのオフ動作を防止している。
【００２３】
すなわち、感温ペレット型温度ヒューズ１は、感温ペレット３が従来の感温ペレット１０１の長さＬの２倍の長さ２Ｌのものが用いられており、この感温ペレット３を可動電極８方向に付勢するＣスプリング１１が収納されている。
【００２４】
そして、感温ペレット３は、Ｔｆ温度（動作温度）以下の温度であるが、感温ペレット３が当該温度に所定時間さらされると溶融前の軟化する温度（Ｔｈ温度）になり、感温ペレット型温度ヒューズ１が当該Ｔｈ温度とＴｆ温度の間の温度環境に所定時間さらされると、感温ペレット３が僅かに軟化する。
【００２５】
ところが、感温ペレット３は、その長さが従来の感温ペレット１０１の長さＬの２倍の長さ２Ｌを有しているため、その長さ２Ｌの半分が軟化しても、全体の長さは、従来の感温ペレット１０１の長さＬを有することとなる。
【００２６】
さらに、感温ペレット３は、Ｃスプリング１１により可動電極８方向に付勢されており、このＣスプリング１１の動作限界幅Ｈは、図２に示すように、感温ペレット３がその長さ２Ｌの半分の長さＬとなったときの感温ペレット３のＣスプリング１１側端部位置よりも感温ペレット３側に位置する幅を有している。
【００２７】
したがって、感温ペレット型温度ヒューズ１がＴｈ温度とＴｆ温度の間の温度環境に所定時間さらされて、感温ペレット３がその長さ２Ｌの半分の長さＬとなっても、感温ペレット３は、Ｃスプリング１１により可動電極８方向に付勢され、また、可動電極８が、感温ペレット３と可動電極８の間に縮設されているＢスプリング７によりＡリード線１３方向に付勢されるため、可動電極８は、図２に示すように、Ａリード線１３と接触し、導通が確保される。
【００２８】
すなわち、従来の感温ペレット１０１は、図３に従来のペレット長として示すように、Ｔｆ温度とＴｈ温度の間にさらされると、その時間の経過に伴って、断線ラインであるＬ／２の長さに徐々に近づいて、最終的に感温ペレット型温度ヒューズが断線することになるが、本実施の形態の感温ペレット型温度ヒューズ１は、図３に実施例のペレット長として示すように、Ｔｆ温度とＴｈ温度の間に長時間さらされても、断線ラインであるＬ／２の長さとの間には、十分の長さを保つこととなる。
【００２９】
また、感温ペレット型温度ヒューズ１は、その環境温度がＴｆ温度以上になると、感温ペレット３が溶融し、Ａスプリング１０により可動電極８が移動されて、確実に可動電極８とＡリード線１３とが切り離され、断線して、安全を確保することができる。
【００３０】
このように、本実施の形態の感温ペレット型温度ヒューズ１は、金属ケース２内に移動可能に収納され一方の電線であるＢリード線１２に接続された可動接点部材である可動電極８を、所定の動作温度（Ｔｆ温度）で溶融軟化する感温ペレット３に保持された保持スプリングであるＢスプリング７で付勢して、可動電極８と他方の電線であるＡリード線１３を接触させて導通を確保し、動作温度で感温ペレット３が溶融軟化することで可動電極８を切断スプリングであるＡスプリング１０が付勢して移動させて当該可動電極８とＡリード線１３との接触を遮断するに際して、動作温度近辺であって当該動作温度よりも低い温度での感温ペレット３の溶融前の軟化に伴うＡスプリング１０の付勢力による可動電極８の移動を抑止して、可動電極８とＡリード線１３との接触を維持させる動作温度前切断抑止機構２０を設けている。
【００３１】
したがって、動作温度近辺であって当該動作温度よりも低い温度にさらされることで、動作温度に到達する前に早期に切断されることを防止することができ、正確な温度での切断動作を確保することができる。
【００３２】
また、本実施の形態の感温ペレット型温度ヒューズ１は、動作温度前切断抑止機構２０を、溶融前の感温ペレット３の所定量の軟化を許容する当該感温ペレット３の長さと、当該感温ペレット３を可動電極８方向に付勢して、当該溶融前の感温ペレット３の軟化に伴う感温ペレット３のＢスプリング７の保持位置変化を所定量吸収し、当該Ｂスプリング７に可動電極８を付勢させてＡリード線１３に接触させるＣスプリング１１と、を備えたものとしている。
【００３３】
したがって、簡単な構成で、動作温度近辺であって当該動作温度よりも低い温度にさらされることで、動作温度に到達する前に早期に切断されることを防止することができ、より一層正確な温度での切断動作を安価に確保することができる。
【００３４】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００３５】
【発明の効果】
請求項１記載の発明の感温ペレット型温度ヒューズによれば、ケース内に移動可能に収納され一方の電線に接続された可動接点部材を、所定の動作温度で溶融軟化する感温ペレットに保持された保持スプリングで付勢して、当該可動接点部材と他方の電線を接触させて導通を確保し、動作温度で感温ペレットが溶融軟化することで可動接点部材を切断スプリングが付勢して移動させて当該可動接点部材と他方の電線との接触を遮断するに際して、動作温度近辺であって当該動作温度よりも低い温度での感温ペレットの溶融前の軟化に伴う切断スプリングの付勢力による可動接点部材の移動を抑止して、当該可動接点部材と他方の電線との接触を維持させる動作温度前切断抑止機構を設けているので、動作温度近辺であって当該動作温度よりも低い温度にさらされることで、動作温度に到達する前に早期に切断されることを防止することができ、正確な温度での切断動作を確保することができる。
【００３６】
請求項２記載の発明の感温ペレット型温度ヒューズによれば、動作温度前切断抑止機構を、溶融前の感温ペレットの所定量の軟化を許容する当該感温ペレットの長さと、当該感温ペレットを可動接点部材方向に付勢して、当該溶融前の当該感温ペレットの軟化に伴う当該感温ペレットの保持スプリングの保持位置変化を所定量吸収し、当該保持スプリングに可動接点部材を付勢させて他の電線に接触させる抑止スプリングと、を備えたものとしているので、簡単な構成で、動作温度近辺であって当該動作温度よりも低い温度にさらされることで、動作温度に到達する前に早期に切断されることを防止することができ、より一層正確な温度での切断動作を安価に確保することができる。
【図面の簡単な説明】
【図１】本発明の感温ペレット型温度ヒューズの一実施の形態を適用した感温ペレット型温度ヒューズの平常状態時の概略構成図。
【図２】図１の感温ペレット型温度ヒューズの動作温度近辺に所定時間さらされた状態の概略構成図。
【図３】図１の感温ペレット型温度ヒューズの感温ペレットの動作温度近辺での経過時間とペレット長を従来の感温ペレット型温度ヒューズの感温ペレット長と比較して示す図。
【図４】従来の感温ペレット型温度ヒューズの平常時の正面断面図。
【図５】図４の従来の感温ペレット型温度ヒューズの動作時の正面断面図。
【図６】図４の従来の感温ペレット型温度ヒューズの平常時の概略構成図。
【図７】図４の従来の感温ペレット型温度ヒューズの動作温度近辺に所定時間さらされた状態の概略構成図。
【符号の説明】
１　感温ペレット型温度ヒューズ
２　金属ケース
３　感温ペレット
４、５、６　円板
７　Ｂスプリング
８　可動電極
９　碑管
１０　Ａスプリング
１１　Ｃスプリング
１２　Ｂリード線
１３　Ａリード線
１４　絶縁碑管
【図１】
2004139891.tif 000003
【図２】
2004139891.tif 000004
【図３】
2004139891.tif 000005
【図４】
2004139891.tif 000006
【図５】
2004139891.tif 000007
【図６】
2004139891.tif 000008
【図７】
2004139891.tif 000009